(57)【特許請求の範囲】
【請求項１】
出入り口を開閉する引き戸の扉閉鎖時の戸当たり部が、扉の反対側を中心として回動可能に構成されてなる引き戸において、戸当たり部は、互いに対向する側が開放する略偏平箱形の室内側設備パネルと各種設備構成部を有する廊下側設備パネルを組み合わせて内部を空洞となす偏平角筒状に形成され、各種設備構成部は、少なくとも手指消毒器具の手指消毒器具収納部とナースコールユニットが取付られる電気設備パネルを有し、手指消毒器具収納部は、廊下側が開口する箱状で戸当たり部内に形成され、電気設備パネルは、戸先側縦枠内より通電金具を介して縦枠側ケーブル挿通孔、パネル側ケーブル挿通孔を挿通したケーブルが臨むナースコールユニット取付開口を有し、ナースコールユニット取付開口に対するナースコールユニットの取り付け及びナースコールユニットに対するケーブルの配線が同時に行える事を特徴とする引戸。
【発明の詳細な説明】
【０００１】
【発明の属する技術分野】
本発明は、病室の出入り口に構成されている引き戸に関するものである。
【０００２】
【従来の技術】
近年、特に病室の出入り口に構成される引き戸は、壁面との一体感を強調し、意匠的な効果を高めるため、引き戸の扉が閉鎖時に位置する個所（病室の出入り口）以外は、壁面と同じ化粧パネルで覆われている。
そして、ナースコール代表廊下灯、病室内の患者を表示する患者名表示部等が集約されたナースコールユニットは、化粧ボードの一部に埋め込まれている為、化粧ボードの張り付けやナースコールユニットの取り付け、及び、故障時の点検作業等が煩雑であった。
一方、ナース及び医者が病室の患者と接触した後、他の病室の患者に接触しておこる院内感染を防止するため、病室の出入時に手先を消毒する為の手指消毒器具は病室内に置かれていたり、あるいは廊下の手摺に吊るされていたり、さらに、病室の出入り口とは直接関係のない箇所に設けられているため、使い勝手が悪く、消毒の意識付けが薄れる原因となるばかりか、病院の視覚的環境の悪化にもつながっていた。
さらに、通常、病室の出入時に開閉される扉の開放巾は、人の通過巾よりやや広い程度であるが、ストレッチャー等の搬出入を考慮した開放巾に引き戸が構成されているので、扉自体も大型化し、その搬出入、及び引き戸の組み立てを少人数で行うのも容易でなかった。
【０００３】
【発明が解決しようとする課題】
本発明は、ナースコール代表廊下灯、病室内の患者を表示する患者名表示部、手指消毒器具等を戸当り部に集約可能となし、戸当り部を回動可能とする事で、病室の出入時に手指の消毒を視覚的に意識せしめて院内感染の予防をはかると共に、看護の初期作業（病室への入室時における、ナースコールされた病室及び患者の確認作業等）の効率化を計り、必要時には出入り口を通常使用時より大きく開口出来る美観的にも優れた引き戸を提供する事を目的とする。
【０００４】
【課題を解決する為の手段】
そこで、本発明が第１の手段として構成したところは、出入り口を開閉する引き戸の扉閉鎖時の戸当たり部が、扉の反対側を中心として回動可能に構成されてなる引き戸において、戸当たり部は、互いに対向する側が開放する略偏平箱形の室内側設備パネルと各種設備構成部を有する廊下側設備パネルを組み合わせて内部を空洞となす偏平角筒状に形成され、各種設備構成部は、少なくとも手指消毒器具の手指消毒器具収納部とナースコールユニットが取付られる電気設備パネルを有し、手指消毒器具収納部は、廊下側が開口する箱状で戸当たり部内に形成され、電気設備パネルは、戸先側縦枠内より通電金具を介して縦枠側ケーブル挿通孔、パネル側ケーブル挿通孔を挿通したケーブルが臨むナースコールユニット取付開口を有し、ナースコールユニット取付開口に対するナースコールユニットの取り付け及びナースコールユニットに対するケーブルの配線が同時に行えるものである。
【００１０】
【実施例】
以下、添付図面に基づいて実施例を詳述する。
図１、図２、図３、図４、図５、図６、図７において、符号１は引き戸枠を示している。
引き戸枠１は、建物側の鉄骨（図示せず。）にブラケット（図示せず。）を介して固定された戸尻側縦枠１３と戸先側縦枠１４と、戸尻側縦枠１３と戸先側縦枠１４の上端間に配設され、建物側鉄骨にブラケットを介して固定された上横枠１５より門形に形成されている。
【００１１】
符号２はレール取付材をしめしている。
レール取付材２は、戸尻側縦枠１３と戸先側縦枠１４の内面に突出して設けられたＬ字形の固定用突片１３８、１３８に固定用ボルト２１２を介して、戸尻側縦枠１３と戸先側縦枠１４の上部間で高さ調節可能に配設され、引き戸レール５が着脱自在に連結されている。
符号６は引き戸レール５に吊り下げられた扉を示し、符号３、３は、戸尻側縦枠１３と戸先側縦枠１４間で、上端がレール取付材２の室内側及び廊下側の両面に固定され、下端部が床面に埋め込まれて立設された中枠を示している。
以下、戸尻側縦枠１３と中枠３、３間側を戸袋側、戸先側縦枠１４と中枠３、３間側を出入り口側と云う。
【０００１２】
符号１６はベース材を示し、ベース材１６は、戸袋側の床面全幅に固定され、出入り口側に突出した端部上面に、ガイドローラー１７を回転自在に設けたガイドローラー取付部材１６４が、入り口側に突出して固着されている。
符号４・・・は、戸袋側の室内側及び廊下側の両面上下方向に配設された下地パネルを示している。
符号１８・・・は、レール取付材２の廊下側の表面で出入り口側に取付られるランマ下地パネルを示し、符号１９はレール取付材２の室内側の出入り口側に着脱自在に取付られた点検パネルを示し、符号９は戸先側縦枠１４の出入り口側に回動可能に取り付けられた戸当たり部を示している。
【００１３】
そして、上記引き戸枠１、ベース材１６、中枠３、３、下地パネル４・・・、ランマ下地パネル１８、点検パネル１９、引き戸レール５が取付られたレール取付材２、及び戸当り部９は、内装仕上げ（化粧パネルの張り付け）が行われるまでに施工され、内装仕上げ終了後に、点検パネル１９を取り外して、扉６が引き戸レール５に吊り込まれ、扉６の閉鎖スピードの調整、床面及び戸当り部９との隙間調節等が行われる。
【００１４】
以下、各部材について詳述する。
戸尻側縦枠１３は、図３、図６に示す如く、戸袋側面１３１と廊下側面１３２と室内側面１３３より横断面略コ字形に形成され、建物側鉄骨側の上下方向に所定間隔を有して設けられた固定用部材１３４・・・が、建物用鉄骨の戸袋側面に突出して固着されたブラッケット・・・と溶接され、下端部は床面仕上げ時に床面に埋め込まれて立設されている。
そして、戸袋側面１３１の戸袋側に扉６が開放された時、扉６の戸尻側端面が当接する緩衝部材１３５が取付られている。
【００１５】
戸先側縦枠１４は、図３、図７、図１６、図１７、図１８に示す如く、廊下側に突出して化粧ボード１００の出入り口側端面を隠蔽する廊下側ボード閉塞部１４６と、室内側に突出して化粧ボード１００の出入り口側端面を隠蔽する室内側ボード閉塞部１４７と、戸当り部９の高さ寸法に対応して出入り口側に突出して形成された出入り口側突条１４８を有する設備側部材１４９よりなる基枠１４５と、基枠１４５の建物側鉄骨側の上下方向に所定間隔を有してもうけられた固定用部材１４１・・・と、補強枠１４２より構成され、設備側部材１４９の高さ方向略中央部の室内側に、戸当り部９のナースコールユニット（後記する。）のケーブルが挿通する縦枠側ケーブル挿通孔１４０（図１７参照）が形成されている。
【００１６】
そして、戸先側縦枠１４は、固定用部材１４１・・・が、建物用鉄骨の戸袋側面に突出して固着されたブラッケットと溶接され、下端部は床面仕上げ時に床面に埋め込まれて立設され、出入り口側突条１４８の上下端部に、回動中心が室内側に突出するピッボットヒンジ９０、９０の受け座９０４、９０４がネジ止めされ、これに戸当り部９の上下端部に設けられたヒンジ座９０５、９０５の回動ピンが嵌合して、戸先側縦枠１４の出入側に戸当り部９が回動可能に取り付けられている。
【００１７】
上横枠１５は、図４等に示す如く、建物用鉄骨側で、扉６の開閉方向に所定間隔を有して固定部材１５１・・・が設けられた断面上向き略コ字形をなし、開閉方向両端部に取付られた逆Ｌ字形の連結金具１５２が、戸尻側縦枠１３および戸先側縦枠１４の上端部にねじ止めされ、さらに固定部材１５１・・・が建物用鉄骨の下面下方に突出して固着されたブラッケトに溶接固定されて引き戸枠１が構成されている。
【００１８】
ベース材１６は、図５、図８に示す如く、戸袋側の床面全幅に位置する固定面１６１と、固定面１６１の室内側及び廊下側の端部に形成された立ち上がり面１６２、１６２と、立ち上がり面１６２、１６２から内方に突出して形成されたＬ字形の下地パネル受け面１６３、１６３と、固定面１６１の出入り口側端部に固着されて、出入り口側に突出し、扉６の下端面に形成された嵌合溝６０内に嵌合するガイドローラー１７を上面で回転自在に保持するガイドローラー取付部材１６４より構成されている。
そして、ガイドローラー取付部材１６４の出入り口側端部はアンカーボルトにて床面に固定されると共に、固定面１６１の出入り口側端部に設けられた上向きコ字形のベース側固定部材１６６（図６参照。）が中枠３、３の下端部内面と連結され、さらに、固定面１６１の戸袋側端部に設けられたベース固定部材１６７（図６に示す。）が戸尻側縦枠１３の下端部と連結され床面に固定されている。  又、下地パネル受け面１６３には、開閉方向に所定間隔を有して、下地パネル４の係止孔１６５・・・が形成されている。
【００１９】
レール取付材２は、図９、図１０、図１１に示す如く、固定用枠２１と、該固定用枠２１の室内側の下方に設けられたレール取付枠２２より構成されており、室内側下方隅部が開口し、点検パネル１９を外した状態で、引き戸レール５が水平状態に着脱自在にとりつけられる。
すなわち、固定用枠２１の上面部２１１の扉開閉方向端部には、上方に突出する固定用ボルト２１２が設けられている。
そして、戸尻側縦枠１３の戸袋側上端部と、戸先側縦枠１４の出入り口側上端部に突出して設けられた逆Ｌ字形の固定用突片１３８、１３８の挿通孔に固定用ボルト２１２を下方より挿通し、固定用突片１３８、１３８と上面部２１１間に複数枚のライナーを選択して介在せしめて、固定用突片１３８、１３８の上方で固定用ボルト２１２に固定用ナット２１４を螺合せしめて水平状態に調節して固定される。
【００２０】
符号２１５は、扉６の開閉方向両端部が戸先側縦枠１４と室内側の中枠３の上端部に連結され、固定枠２１の室内側面部２１０の出入り口側全幅に設けられる、点検パネル１９の上部支持部材、符号２１６は固定枠２１の室内側面部２１０で、出入り口側の開閉方向両端部に設けられた、点検パネル１９の下部支持部材を示し、下部支持部材２１６の下面には点検パネル１９の取付用螺孔が形成されている。
【００２１】
レール取付枠２２は、固定用枠２１の廊下側面部２００の下端部の折り曲げ部２２０に、下端部が固着されるＬ字形の引き戸レール取付面２２１と、引き戸レール取付面２２１の上端から室内側に延出され、固定用枠２１の室内側面部２１０の内面に固着される上部固定面２２２より構成され、室内側の下方に開閉方向全幅に渡って開口する引き戸レール取付用開口２０を有している。
【００２２】
そして、引き戸レール取付面２２１の戸袋側には、図１０に示す如く、扉６の開閉方向に所定間隔を有して引き戸レール５の取付用係合孔２２３・・・が複数個形成され、引き戸レール取付面２２１の出入り口側には、扉６の開閉方向に所定間隔を有して引き戸レール５の固定用螺孔２２４が複数個形成されている。
【００２３】
引き戸レール５は、図９、図１０に示す如く、スライド装置７と、アルミの押出材より形成された、スライド装置７の補強材５１と、補強材５１を保持する保持部材５２が一体に連結されて構成されている。そして、その開閉方向の長さは、レール取付材２に着脱自在に取付られるよう、レール取付材２より所定寸法短く形成されている。
【００２４】
すなわち、引き戸レール５の保持部材５２の出入り口側端部には室内側に突出する操作突片５２１が形成され、戸袋側には、扉６の開閉方向に所定間隔を有して、前記固定枠２１の取付用係合孔２２３・・・に出入り口側から係合する係合爪５２２・・・が形成され、引き戸レール５の出入り口側には、固定用螺孔２２４・・・に対応する連結孔５２３・・・が形成されている。
【００２５】
そして、引き戸レール５の点検補修の為取り外された引き戸レール５を、レール取付材２に連結する時は、点検パネル１９が取り外された状態で、出入り口側下方の室内側斜め方向から、戸袋側端部を上方に向けて差入れて、引き戸レール取付用開口２０内に引き戸レール５を位置せしめたのち、係合爪５２２・・・を取付用係合孔２２３・・・内に位置させた状態で、扉６の開放方向にハンマー等にて操作突片５２１を打撃して、引き戸レール５を扉６の開放方向にスライドさせて、係合爪５２２・・・を取付用係合孔２２３・・・に係合せしめて、固定用螺孔２２４・・・と連結孔５２３・・・を一致させ、連結ネジ５０にて、引き戸レール５をレール取付材２に連結させる。
【００２６】
一方、レール装置７の破損等によって、レール取付材２から引き戸レール５を取り外す場合は、上記操作とは逆に、連結ネジ５０を取り外した後、扉６の閉鎖方向にハンマー等にて操作突片５２１を打撃して、引き戸レール５を扉６の閉鎖方向にスライドさせて、係合爪５２２・・・と取付用係合孔２２３・・・の係合状態を解除する。
【００２７】
スライド装置７は、図１１に示す如く、補強材５１の室内側に固定される断面略Ｃ字形のアウターメンバー７１と、アウターメンバー７１にボールリテーナー７２に保持された複数個のボール７３・・・を介してスライド自在に保持される断面略Ｃ字形のインナーメンバー７４より構成されており、保持部材５２と補強材５１とアウターメンバー７１は開閉方向全幅に渡って配設され、インナーメンバー７４は扉６の開閉方向の幅よりやや小さ目に形成され、ボールリテーナー７２はインナーメンバー７４より２倍強の幅に形成されている。
符号７５はインナーメンバー７４の室内側に固着された吊り金具を示している。
【００２８】
中枠３、３は図６に示す如く、対向した同形に形成されているので、便宜上廊下側についてのみ説明する。
中枠３は、内面側に位置する補強枠３１と、補強枠３１の出入り口側の端部に形成されて廊下側に突出し、戸袋側の化粧パネル１００の出入り口側端部を隠蔽する中枠突部３２と、補強枠３１の廊下側の表面に設けられ、戸尻側縦枠１３側の端部に補強枠３１と共に下地パネル４のパネル嵌合溝３３を形成する表面板３４より形成され、上端部がレール取付材２の廊下側面部２００に連結され、下部がベース材１６のベース側固定部材１６６と連結され、下端部が床面仕上げ時に床面に埋め込まれて立設される。符号３０は軟質合成樹脂材より形成された指づめ防止材を示している。
【００２９】
下地パネル４は、図６、図８に示す如く、下端部の開閉方向所定位置に前記ベース材１６の係止孔１６５・・・に対応する係止突片４１・・・を所定幅で有する表面板部４２と、表面板部４２の上端を内方にＬ字形に折り曲げて形成された下地パネル上受け面部４３と、表面板部４２の戸尻側縦枠１３側を横向きＬ字形に折り曲げて形成された端部連結突片４４より構成され、下地パネル上受け面部４３の開閉方向所定箇所には、前記係止突片４１・・・に対応する下地パネル上係止孔４３１が形成され、表面板部４２の内面に石膏ボード４５が貼り付けられている。
【００３０】
下地パネル４は上記の如く形成され、出入り口側の端部を中枠３のパネル嵌合溝３３に嵌入し、下端部の係止突片４１・・・をベース材１６の係止孔１６５・・・に係止させて、表面板部４２の下端部をベース材１６の下地パネル受け面１６３に載置し、端部連結突片４４を戸尻側縦枠１３の廊下側面１３２にネジ止めする。
次に、ベース材１６に取付られた下地パネル４の上方に、上方の下地パネル４の出入り口側の端部を中枠３のパネル嵌合溝３３に嵌入し、下端部の係止突片４１・・・を下方の下地パネル上受け面部４３の下地パネル上係止孔４３１・・・に係止させ、表面板部４２の下端部を下方の下地パネル上受け面部４３に載置し、端部連結突片４４を戸尻側縦枠１３の室内側面１３２にネジ止めする。
そして、最上部の下地パネル４のみ上端部（下地パネル上受け面部４３の上向き突片４３２）をレール取付材２の室内側面部２１０、廊下側面部２００にネジ止めする。
【００３１】
ランマ下地パネル１８は、図４、図９に示す如く、廊下側表面板１８１の上端がレール取付材２の廊下側面部２００にネジ止めされ、廊下側表面板１８１の下端部で廊下側に突出して形成されたランマ下地突部１８０で、化粧ボード１００の下端部端面を隠蔽し、廊下側表面板１８１の開閉方向の両端部が、廊下側の中枠３の上端部と、戸先側縦枠１４の廊下側の上端部にネジ止めされている。
【００３２】
扉６は、図３、図４、図６、図９に示す如くパネル形状をなし、下端面の開閉方向に前記ガイドローラー１７が嵌合する嵌合溝６０が形成され、上端面の開閉方向に所定間隔を有して吊り下げ用連結螺孔６１・・・が形成され、室内側上端部の開閉方向に所定間隔を有して吊り下げ固定用螺孔６２・・・が形成され、上端部に隙間調節用部材８が外嵌している。
【００３３】
隙間調節用部材８は、吊り下げ面８１と、吊り下げ面８１の室内側及び廊下側に形成された室内側挟持片８２及び廊下側挟持片８３より断面下向き略コ字形に形成され、吊り下げ面８１には、前記インナーメンバー７４の吊り金具７５に取付ピン８００を介して室内側及び廊下側方向に回動自在に吊り下げられる吊り受け金具８２０が上方に突出して設けられると共に、扉６の前記吊り下げ用連結螺孔６１・・・に対応して、挿通孔８３０・・・が形成され、固定用ボルト８０・・・が、吊り下げ面８１の上方から挿通孔８３０・・・を挿通して吊り下げ用連結螺孔６１・・・に螺合し、吊り金具７５と扉６が連結している。
又、室内側挟持片８２には、前記吊り下げ固定用螺孔６２・・・に対応して、上下方向の長孔が形成され、長孔を挿通して固定ネジ８４０・・・が吊り下げ固定用螺孔６２・・・に螺合している。
【００３４】
そして扉６の戸尻側の端部上面にゼンマイ式の自閉装置が埋設され、ゼンマイ式の自閉装置のワイヤーの一端が、中枠３の出入り口側で、レール取付材２側に設けられた固定座に固定されている。
又、扉６の上端の室内側で戸先側端部に全開ストッパー用ローラーが設けられ、全開ストッパー用ローラーに対応して、中枠３の上端部に板バネからなる全開ストッパーが取付られ、レール取付材２と吊り金具７５間に自閉時のブレーキ装置等が設けられている。（自閉装置、固定座、全開ストッパー用ローラー全開ストッパー、ブレーキ装置等はいずれも周知技術であるので図示せず。）
【００３５】
戸当たり部９は、図３、図７、図１２〜図１８に示す如く、互いに対向する側が開放する略偏平箱形の室内側設備パネル９９と、廊下側設備パネル９７を組み合わせて内部を空洞とし、廊下側設備パネル９７に各種設備構成部９１を有する偏平角筒状に形成されている。
そして、戸先側縦枠１４の上下端部の出入り口側で室内側に突出するピボットヒンジ９０、９０と、戸先側縦枠１４側の端部が、レール取付材２に設けられた戸当り部固定金具９０２の戸先側縦枠１４側端部に固定され、扉６側端部が戸当り部９の扉側端部上面に固定された、伸縮機能を有するステー９０３にて、室内側に所定角度回動可能に支持される一方、出入り口側端面の上下端部に設けられたフランス落し９０１、９０１と、フランス落し９０１、９０１のロッド棒９０８、９０８が嵌入する戸当り部固定金具９０２にて、レール支持材２と床面で回動不能に固定され（図９参照）、扉６の閉鎖時の戸当りとして機能する。
すなわち、戸当たり部９は、室内側に所定角度回動可能に構成されているのでストレッチャーの出し入れの際戸当り部９を回動して、出入り口を大きくしても、廊下側に戸当たり部９が突出しないので、廊下側の通行を妨げる事がない。
【００３６】
室内側設備パネル９９は、縦長長方形状の室内側表面板９９１と、室内側表面板９９１の戸先側縦枠１４側端部に形成された、前記戸先側縦枠１４の出入り口側突条１４８に対応する凹部を有する縦枠側連結突片９９２と、出入り口側端部に形成された、扉６の戸当り部材６００の先端部が扉の閉鎖時に嵌入し、前記フランス落し９０１、９０１の取付孔が形成された凹段部を有する出入り口側連結突片９９３と、上端部に形成された廊下側に突出する上連結突部９９４と、下端部に形成された廊下側に突出する下連結突部９９５より構成されている。
そして縦枠側連結突片９９２の上下方向略中央部の室内側表面板９９１側に、前記戸先側縦枠１４の縦枠側ケーブル挿通孔１４０に対応してパネル側ケーブル挿通孔９９０が形成され、前記上下連結突部９９４、９９５の上下端面には、前記フランス落し９０１、９０１のロッド棒９０８、９０８が貫通する上下貫通孔９０９、９０９が形成されている。
【００３７】
廊下側設備パネル９７は、戸先側縦枠１４側の端部を室内側に突出させて、前記出入り口側突条１４８に対応する凹部を有し、前記室内側設備パネル９９の縦枠側連結突片９９２とネジ止めされる戸先側縦枠折り曲げ部９７１が形成された縦枠側表面板９７０と、出入り口側の端部を室内側に突出させて、前記フランス落し９０１、９０１の取り付け孔が形成された凹段部を有し、前記室内側設備パネル９９の出入り口側連結突片９９３とネジ止めされる出入り口側折り曲げ部９７２が形成された出入り口側表面板９７３と、室内側に窪んだ状態で出入り口側表面板９７３と縦枠側表面板９７０の上部を連結する廊下側上表面板９７４と、廊下側上表面板９７４の所定寸法下方に、手指消毒器具９２の手指消毒器具収納部９３が取り付けられる取付開口９７５を形成し、その下方に室内側に窪んだ状態で出入り口側表面板９７３と縦枠側表面板９７０の下部を連結する廊下側下表面板９７６より構成されている。
尚、廊下側上表面板９７４にはナースコールユニットの取り付け位置に対応してケーブル等の逃がし孔が形成されている。
【００３８】
そして、出入り口側表面板９７３、縦枠側表面板９７０等の上下端部には室内側に突出し、前記室内側設備パネル９９の上下連結突部９９４、９９５とネジ止めされる上下連結突片９７７、９７８が設けられている。
すなわち、室内側設備パネル９９と、廊下側設備パネル９７を組み合わせた状態で、戸先側縦枠１４の端面中央部の上下方向に渡って、前記戸先側縦枠１４の出入り口側突条１４８が嵌入する縦枠側嵌入凹条９００が形成される。従って、戸当り部９が扉６の閉鎖時の戸当りとして機能する時は、戸先側縦枠１４の出入り口側突条１４８に縦枠側嵌入凹条９００が嵌合しているので、廊下側或いは室内側から他方が直接目視出来ず、プライバシーが確実に確保されるとともに、照明光のもれも防止できる。又、出入り口側の端面中央部の上下方向にわたって、扉６の戸当たり部材６００の先端が嵌入する出入り口側嵌入凹条６０１が形成されているので、出入り口側嵌入凹条６０１には、フランス落し９０１、９０１が出入り口側に突出せず取り付けられ、さらに、その取り付け個所以外にクッション部材６０２を張り付ける事ができる。
【００３９】
各種設備構成部９１は、前記取付開口９７５に取り付けられる手指消毒器具９２の手指消毒器具収納部９３、手指消毒器具収納部９３の上部に位置し、廊下側上表面板９７４に取り付けられる、ナースコール代表廊下灯９４、ナースコール患者別廊下灯９５、ナースコール復旧ボタン９６（一般的にナースコールユニットとして一つの部材に集約されている。）及び患者名表示部（図示せず。）を有する電気設備パネル９４０、ボトル収納部９３の下部に位置し廊下側下表面板９７６に取り付けられる、各種ポスター、あるいは病院の視覚的環境を向上させるための絵画等を設ける為の装飾パネル９５０より構成されている。
【００４０】
手指消毒器具収納部９３は廊下側が開口する箱状に形成され、室内側設備パネル９９と廊下側設備パネル９７が連結されていない状態で、前記廊下側設備パネル９７の取付開口９７５に廊下側より挿入され、縦枠側表面板９７０と出入り口側表面板９７３に、室内側よりネジ止めされて取付られ、その後、室内側設備パネル９９と廊下側設備パネル９７連結され、上下のフランス落し９０１、９０１、ヒンジ座９０５、９０５、ステー９０３が取り付けられる。
符号９３０は手指消毒器具収納部９３の下面に載置されたステンレス製のトレー、符号９３１は、戸当り部９が回動した際、手指消毒器具９２の落下を防止する為の落下防止棒を示している。
【００４１】
尚、実施例では手指消毒器具収納部９３を廊下側から使用する態様に形成しているが、前記室内側設備パネル９９に取り付け開口を形成して、室内側から使用出来る態様にしても良い事は云うまでもない。
【００４２】
電気設備パネル９４０、装飾パネル９５０は手指消毒器具収納部９３と同様に、室内側設備パネル９９と廊下側設備パネル９７が連結されていない状態で、廊下側上下表面板９７４、９７６に、室内側からあらかじめネジ止めされ、室内側設備パネル９９と廊下側設備パネル９７が連結された後、室内側設備パネル９９の上下連結突部９９４、９９５に、電気設備パネル９４０及び装飾パネル９５０に形成された上下連結突片９７７、９７８（図１２、図１３、図１４、図１６に仮想線で示す。）が連結する。
【００４３】
あるいは、図１６、図１７、図１８に示すように、廊下側上下表面板９７４、９７６にラッチ受け９４１・・・を設けておき、電気設備パネル９４０、装飾パネル９５０にラッチ９４２・・・を設けて置く事により、室内側設備パネル９９と廊下側設備パネル９７の連結後でも廊下側から着脱自在に取り付けることができる。
【００４４】
すなわち、病院の視覚的環境を向上させるため、装飾パネル９５０のカラー及び表面デザインの異なるものを複数種類用意しておくことにより、小児科、外科等にあった適切な環境を適宜選択する事ができる。
そして、ナースコール代表廊下灯９４、ナースコール患者別廊下灯９５、ナースコール復旧ボタン９６を集約したナースコールニットは、電気設備パネル９４０に形成されたナースコールユニット取付開口に廊下側から取り付けられる。
すなわち、戸当り部９を戸先側縦枠１４に取り付ける際に、すでに戸先側縦枠１４内に配線されたケーブルを通電金具９０７を介して縦枠側ケーブル挿通孔１４０からパネル側ケーブル挿通孔９９０を挿通させ、廊下側上表面板９７４の逃がし孔及び前記設備パネル９４０のナースコールユニット取付開口に臨ませておく事でナースコールユニットの取り付け及び配線が同時に行える。
【００４５】
上記如く構成された各部材のうち、引き戸枠１、ベース材１６（ガイドローラー１７を含む。）、中枠３、３、下地パネル４・・・、ランマ下地パネル１８、引き戸レール５が取付られたレール取付材２、点検パネル１９、戸当たり部９、各種設備構成部９１が、内装仕上げが行われる前に施工され、化粧ボード１００等が取付られ、床面等が仕上げられた後、扉６等が組み込まれる。
すなわち、上端面に隙間調節用部材８が、固定用ボルト８０・・・、固定ネジ８４０・・・にて仮固定された扉６は、点検パネル１９が取り外された状態で、嵌合溝６０の戸袋側端部にガイドローラー１７を嵌合させた状態で持ち上げ、スライド装置７に設けられた吊り金具７５に、吊り受け金具８２０を一致せしめて、取付ピン８００を嵌入し、レール取付材２に対し開閉方向に摺動自在に吊り下げられる。
【００４６】
この状態で、レール取付材２は施工段階でレベル調整され水平状態で固定されているが、戸先側縦枠１４は建物側の鉄骨にブラッケットを介して溶接にて固定されているので、必ずしも鉛直に立設されているわけではない。従って、扉６の戸先側に設けられた戸当たり部材６００と、戸当り部９の出入り口側嵌入凹条６０１、及びクッション材６０２が、扉６の閉鎖時に、上下方向に渡って密着するわけではなく、上下端部のいずれかに隙間が発生し、非常に見苦しいものとなる可能性がある。
【００４７】
よって、扉６の上端面に外嵌する隙間調節用部材８の固定用ボルト８０・・・と吊り下げ用連結螺孔６１・・・の螺合状態を調節すると、扉６は、隙間調節用部材８に対し開閉方向で、クッション部材６０２と戸当たり部材６００が上下方向で密着するよう傾斜自在に調節される。
そして、吊り下げ固定用螺孔６２・・・に室内側挟持片８２の室内側から固定ネジ８４０・・・を長孔・・・を挿通して螺合し、室内側挟持片８２と扉６を固定する。
次に、自閉装置のワイヤーの一端を、固定座に連結し、全開ストッパー用ローラー、全開ストッパー、自閉時のブレーキ装置を取付けた後、点検パネル１９を取付け、隙間調節用部材８と扉６、及びレール取付材２等を隠蔽する。
そして、電気設備パネル９４０、装飾パネル９５０に前記した要領でナースコールユニット等を取り付け、最後に出入り口を除く廊下側に手摺り１０が取り付けられる。
【００４８】
【発明の効果】
請求項１に記載の発明によれば、扉閉鎖時の戸当たり部の室内側あるいは廊下側に、手指消毒器具が設けられるので、病室への入出時に通過する位置と、手指消毒器具が近接し、手指の消毒を確実に意識せしめると同時に、手指の消毒が簡単に行う事ができ、院内感染の予防をはかる事ができる。
又、戸当り部が回動可能に構成されているので、扉巾を小さく構成して、引き戸の搬入、組み立て時を少人数で行えるように出来ると共に、必要時には、出入り口開口を大きくする事ができ、ストレッチャー等の出入りに支障をきたす事もない。
さらに、戸当たり部が互いに対向する側が開放する略偏平箱形の室内側設備パネルと、廊下側設備パネルを組み合わせて内部を空洞とし、廊下側設備パネルに各種設備構成部を有する偏平角筒状に形成されているので、内部に手指消毒器具収納部や各種電気設備等を内蔵させることが可能であり、美観に優れる。
又、ケーブルが戸先側縦枠内より通電金具を介して縦枠側ケーブル挿通孔及びパネル側ケーブル挿通孔を挿通して電気設備パネルのナースコール取付開口に臨んでいるので、ナースコールユニットの取り付けおよび配線を同時に行うことができる。
【図面の簡単な説明】
【図１】本発明の引き戸の廊下側からの正面図
【図２】本発明の引き戸の室内側からの正面図
【図３】図１のＡーＡ線要部拡大断面図
【図４】図１のＢーＢ線要部拡大断面図
【図５】図１のＣーＣ線要部拡大断面図
【図６】図３の戸袋側の拡大図
【図７】図３の戸先側縦枠部分の拡大図
【図８】図５のベース材部分の拡大図
【図９】扉の吊り下げ状態を示す拡大縦断面図
【図１０】レール取付材と引き戸レールの取付状態を示す拡大横断面図
【図１１】レール取付材と引き戸レールの取付状態を示す拡大縦断面図
【図１２】図１のＤ−Ｄ線要部拡大断面図
【図１３】図１２の上連結突部部分の拡大図
【図１４】図１２の下連結部分の拡大図
【図１５】図１のＥ−Ｅ線要部拡大断面図
【図１６】図１のＦ−Ｆ線要部拡大断面図
【図１７】図１のＧ−Ｇ線要部拡大断面図
【図１８】図１のＨ−Ｈ線要部拡大断面図
【符号の説明】
１        引き戸枠
１３      戸尻側縦枠
１４      戸先側縦枠
１５      上横枠
１９      点検パネル
１００    化粧ボード
２        レール取付材
３        中枠
４        下地パネル
５        引き戸レール
６        扉
９        戸当たり部
９１      各種設備構成部
９２      手指消毒液用噴射ボトル
９３      ボトル収納部
９４      ナースコール代表廊下灯
９５      ナースコール患者別廊下灯
９６      ナースコール復旧ボタン
【図１】
0003550323.tif 000002
【図２】
0003550323.tif 000003
【図３】
0003550323.tif 000004
【図４】
0003550323.tif 000005
【図５】
0003550323.tif 000006
【図６】
0003550323.tif 000007
【図７】
0003550323.tif 000008
【図８】
0003550323.tif 000009
【図９】
0003550323.tif 000010
【図１０】
0003550323.tif 000011
【図１１】
0003550323.tif 000012
【図１２】
0003550323.tif 000013
【図１３】
0003550323.tif 000014
【図１４】
0003550323.tif 000015
【図１５】
0003550323.tif 000016
【図１６】
0003550323.tif 000017
【図１７】
0003550323.tif 000018
【図１８】
0003550323.tif 000019